(57)【要約】【課題】ある基板と別の基板とで情報のやりとりを高速かつ確実に行った電子機器を提供する。【解決手段】第１の基板１１には第１通信部２１が、第２の基板１２，１３，１４，１５にはそれぞれ異なる位置に凸部が設けられ、その凸部に第２通信部２２，２３，２４，２５が設けられている。第１の基板１１と第２の基板１２，１３，１４，１５を重ね、第１通信部２１は第２の基板１２，１３，１４，１５の凸部が設けられる領域あるいはその領域から予め決められた範囲に設ける。第１通信部２１とそれぞれの第２通信部２２，２３，２４，２５とを結ぶ線分が通信経路となり、その通信経路には障害物が存在しない。直進性のよい波長を用いて無線通信を行う場合でも、支障なく通信が行われる。【選択図】図１
2014120667.tif 000002
【特許請求の範囲】
【請求項１】
無線により通信を行う第１の通信手段が設けられた第１の基板と、前記第１の通信手段との通信経路上に障害物が存在しない位置に第２の通信手段が設けられた複数の第２の基板を有することを特徴とする電子機器。
【請求項２】
それぞれの前記第２の通信手段と前記第１の通信手段とを結ぶ線分上に障害物が存在しないことを特徴とする請求項１に記載の電子機器。
【請求項３】
前記第２の基板の凸部に前記第２の通信手段が設けられるとともに、それぞれの前記第２の基板における前記凸部の位置を異ならせていることを特徴とする請求項１または請求項２に記載の電子機器。
【請求項４】
前記第２の通信手段は、前記第２の基板の端部に設けられるとともに、前記第１の通信手段は、それぞれの前記第２の基板と重ならない位置に配置されていることを特徴とする請求項１または請求項２に記載の電子機器。
【請求項５】
前記第２の通信手段は、前記第２の基板の端部に設けられるとともに、それぞれの前記第２の基板を重ねた場合に前記第２の通信手段が他の第２の基板により隠れないようにずらして重ねることを特徴とする請求項１または請求項２に記載の電子機器。
【請求項６】
それぞれの前記第２の基板には、異なる位置に前記第２の通信手段が配置されるとともに、他の前記第２の基板に前記第２の通信手段が配置される位置には開口が設けられていることを特徴とする請求項１または請求項２に記載の電子機器。
【請求項７】
さらに反射板を有し、それぞれの前記第２の通信手段から前記反射板により反射して前記第１の通信手段へ至る通信経路上に障害物が存在しないことを特徴とする請求項１に記載の電子機器。
【発明の詳細な説明】
【技術分野】
【０００１】
本発明は、電子機器に関するものである。
【背景技術】
【０００２】
電子機器においては、複数の基板を用いて構成する場合がある。例えば機能を分担した複数の基板を用いたり、機能の追加を行う場合に、追加する機能を実装した基板を設置する場合などがある。このような複数の基板を用いる場合、ある基板から別の基板へ少なくとも情報を伝達する必要がある。基板と基板を接続する方法として、一般的にはコネクタが利用されている。
【０００３】
図１１は、従来の基板の接続方法の一例の説明図である。図中、５１は第１の基板、５２，５３は第２の基板、６１はコネクタ、６２はライザーカードである。図１１（Ａ）に示す例では、第１の基板５１に複数のコネクタ６１を設け、このコネクタ６１に第２の基板５２，５３の端子部を挿入して電気的な接続を図っている。この図１１（Ａ）に示す例では、第１の基板５１と第２の基板５２，５３の向きが異なり、配置する空間が必要なことから、図１１（Ｂ）に示すライザーカード６２を用いた構成も利用されている。
【０００４】
図１１（Ｂ）に示す例では、第１の基板５１にライザーカード６２を取り付け、このライザーカード６２に設けられているコネクタ６１に第２の基板５２，５３の端子部を挿入して電気的な接続を図っている。
【０００５】
いずれの例においても、コネクタ６１及びコネクタに挿入する端子部が必要なことから、コネクタの大きさに依存した空間が必要となる。また、コネクタ６１と端子部の接続には押圧力により電気的な接続を確実にしているが、その分だけ、第２の基板５２，５３の端子部をコネクタ６１に挿入する際には力を要する。それにもかかわらず、コネクタ６１における接触不良が発生する場合がある。また、装置の奥にコネクタ６１が配置されていると、挿入の際にはコネクタ６１が視認しづらく、作業が困難となる場合がある。
【０００６】
コネクタなどを用いた有線による接続の他に、無線によって情報の伝達を行う接続方法もある。例えば特許文献１には、コネクタによる有線通信の手段と、無線通信の手段を併設し、有線接続されていない場合に無線通信に切り換える技術が記載されている。例えばコネクタの接触不良などで優先接続が有効でない場合、無線通信により情報の伝達が行われることになる。
【０００７】
ある基板と別の基板とでやりとりする情報の伝送速度は、従来に比べて近年では高速化の一途をたどっている。また、装置内部での通信であることから通信品質は確保する必要がある。これらの要求を満たして無線通信を行うには、ミリ波、マイクロ波、赤外線、可視光など、伝送速度に応じた波長を用いることになる。これらの波長の特性として、波長が短くなるほど直進性が顕著になる。例えば図１１に示した基板の配置のまま、これらの波長による無線通信を行うと、ある基板からあるいはある基板への通信を行う際に別の基板が障害物となり、電波あるいは光が減衰して情報が伝達されない場合が生じる。
【先行技術文献】
【特許文献】
【０００８】
【特許文献１】特開２００４−２４６２８８号公報
【発明の概要】
【発明が解決しようとする課題】
【０００９】
本発明は、ある基板と別の基板とで情報のやりとりを高速かつ確実に行った電子機器を提供することを目的とするものである。
【課題を解決するための手段】
【００１０】
本願請求項１に記載の発明は、無線により通信を行う第１の通信手段が設けられた第１の基板と、前記第１の通信手段との通信経路上に障害物が存在しない位置に第２の通信手段が設けられた複数の第２の基板を有することを特徴とする電子機器である。
【００１１】
本願請求項２に記載の発明は、本願請求項１に記載の発明の構成において、それぞれの前記第２の通信手段と前記第１の通信手段とを結ぶ線分上に障害物が存在しないことを特徴とする電子機器である。
【００１２】
本願請求項３に記載の発明は、本願請求項１または請求項２に記載の発明の構成において、前記第２の基板の凸部に前記第２の通信手段が設けられるとともに、それぞれの前記第２の基板における前記凸部の位置を異ならせていることを特徴とする電子機器である。
【００１３】
本願請求項４に記載の発明は、本願請求項１または請求項２に記載の発明における前記第２の通信手段が、前記第２の基板の端部に設けられるとともに、前記第１の通信手段は、それぞれの前記第２の基板と重ならない位置に配置されていることを特徴とする電子機器である。
【００１４】
本願請求項５に記載の発明は、本願請求項１または請求項２に記載の発明における前記第２の通信手段が、前記第２の基板の端部に設けられるとともに、それぞれの前記第２の基板を重ねた場合に前記第２の通信手段が他の第２の基板により隠れないようにずらして重ねることを特徴とする電子機器である。
【００１５】
本願請求項６に記載の発明は、本願請求項１または請求項２に記載の発明におけるそれぞれの前記第２の基板には、異なる位置に前記第２の通信手段が配置されるとともに、他の前記第２の基板に前記第２の通信手段が配置される位置には開口が設けられていることを特徴とする電子機器である。
【００１６】
本願請求項７に記載の発明は、本願請求項１に記載の発明の構成に、さらに反射板を有し、それぞれの前記第２の通信手段から前記反射板により反射して前記第１の通信手段へ至る通信経路上に障害物が存在しないことを特徴とする電子機器である。
【発明の効果】
【００１７】
本願請求項１に記載の発明によれば、複数の第２の基板と第１の基板とで情報のやりとりを高速かつ確実に行うことができるという効果がある。
【００１８】
本願請求項２に記載の発明によれば、直進性のよい波長を用いた無線通信であっても、情報のやりとりを確実に行うことができる。
【００１９】
本願請求項３に記載の発明によれば、第２の基板を重ねて構成しても第１の基板との通信を確実に行うことができる。
【００２０】
本願請求項４に記載の発明によれば、第２の基板を揃えて重ねても、第１の基板との通信を確実に行うことができる。
【００２１】
本願請求項５に記載の発明によれば、第２の基板をずらして重ねた場合に第１の基板との通信を確実に行うことができる。
【００２２】
本願請求項６に記載の発明によれば、第２の基板を揃えてどのような順で重ねても、第１の基板との通信を確実に行うことができる。
【００２３】
本願請求項７に記載の発明によれば、第１の通信手段と第２の通信手段とを結ぶ直線上に障害物が存在する場合でも、第１の基板と第２の基板との通信を確実に行うことができる。
【図面の簡単な説明】
【００２４】
【図１】本発明の第１の実施の形態を示す構成図である。
【図２】本発明の第１の実施の形態の変形例を示す構成図である。
【図３】本発明の第２の実施の形態を示す構成図である。
【図４】本発明の第３の実施の形態を示す構成図である。
【図５】本発明の第４の実施の形態を示す構成図である。
【図６】本発明の第５の実施の形態を示す構成図である。
【図７】本発明の第５の実施の形態の変形例を示す構成図である。
【図８】本発明の第６の実施の形態を示す構成図である。
【図９】本発明の第６の実施の形態の変形例を示す構成図である。
【図１０】本発明の第７の実施の形態を示す構成図である。
【図１１】従来の基板の接続方法の一例の説明図である。
【発明を実施するための形態】
【００２５】
図１は、本発明の第１の実施の形態を示す構成図である。図中、１１は第１の基板、１２，１３，１４，１５は第２の基板、２１は第１通信部、２２，２３，２４，２５は第２通信部である。この例では第２の基板を４枚設ける例を示しているが、第２の基板は２枚以上であればよい。もちろん、第２の基板が１枚でも動作するものである。
【００２６】
第１の基板１１には、第２の基板１２，１３，１４，１５との通信を行う第１通信部２１が設けられている。また、第２の基板１２には第１の基板１１との通信を行う第２通信部２２が、第２の基板１３には第２通信部２３が、第２の基板１４には第２通信部２４が、第２の基板１５には第２通信部２５が、それぞれ設けられている。第１通信部２１と第２通信部２２，２３，２４，２５との通信は、電波や光による無線で行うが、直進性が顕著となるミリ波以上の周波数で行うとよい。
【００２７】
この第１の実施の形態では、第２の基板に凸部を設け、その凸部に第２通信部を設ける例を示している。図１（Ａ）には、第１の基板１１及び第２の基板１２，１３，１４，１５を示している。第２の基板１２，１３，１４，１５には、それぞれ異なる位置に凸部が設けられており、その凸部に第２通信部２２，２３，２４，２５が配置されている。
【００２８】
第１の基板１１及び第２の基板１２，１３，１４，１５を実装する際には、図１（Ｂ）、（Ｃ）に示すように、第１の基板１１と第２の基板１２，１３，１４，１５を重ねて配置する。その際に、第１の基板１１は第１通信部２１が設けられた側が第２の基板１２，１３，１４，１５と対向する側となるようにする。第１通信部２１は第２の基板１２，１３，１４，１５の凸部が設けられる領域あるいはその領域から予め決められた範囲に設けられている。また第２の基板１２，１３，１４，１５は、第２通信部２２，２３，２４，２５が設けられた側が第１の基板１１と対向する側となるようにする。
【００２９】
無線による通信を行う際に直進性のよい電波や光を用いる場合、この例では第１通信部２１とそれぞれの第２通信部２２，２３，２４，２５とを結ぶ線分が通信経路となるが、その通信経路には障害物、例えば他の第２の基板が存在せず、支障なく通信が行われる。例えばこの例における第２の基板１５の凸部に設けられた第２通信部２５は、第２の基板１４，１３，１２の凸部が設けられていない空間を通過して、第１の基板１１の第１通信部２１との無線による通信が行われることになる。また、第２の基板１４の凸部に設けられた第２通信部２４も、第２の基板１３，１２の凸部が設けられていない空間を通過して、第１の基板１１の第１通信部２１との通信が行われる。さらに、第２の基板１３の凸部に設けられた第２通信部２３も、第２の基板１２の凸部が設けられていない空間を通過して、第１の基板１１の第１通信部２１との通信が行われる。第２の基板１２についても、第１の基板１１の第１通信部２１との通信が行われることになる。
【００３０】
なお、第２の基板１２，１３，１４，１５が重なる順序が図１（Ｂ）、（Ｃ）に示した順序と異なっていてもよい。順序が異なる場合でも、それぞれの第２の基板１２，１３，１４，１５に設けられた第２通信部２２，２３，２４，２５と第１の基板１１の第１通信部２１とを結ぶ線分上には障害となるものが生じることはなく、通信に支障は生じない。
【００３１】
図２は、本発明の第１の実施の形態の変形例を示す構成図である。図１に示した例では、凸部を矩形状としているが、凸部の形状は矩形に限られるものではない。図２に示した変形例では、凸部を三角形状とした例を示している。図２（Ａ）に示す例では第２の基板を３枚とした場合を示しており、第２の基板１２，１３，１４にはそれぞれ異なる位置に凸となる三角形状の凸部が設けられていて、その凸部に第２通信部２２，２３，２４が配置されている。
【００３２】
図２（Ｂ）、（Ｃ）に示すように、第１の基板１１と第２の基板１２，１３，１４を重ねて配置する。その際に、第１の基板１１は第１通信部２１が設けられた側が第２の基板１２，１３，１４と対向し、第２の基板１２，１３，１４は、第２通信部２２，２３，２４が設けられた側が第１の基板１１と対向する側となるようにする。第１通信部２１は第２の基板１２，１３，１４の凸部が重なる領域あるいはその領域から予め決められた範囲に設けられている。
【００３３】
このような構成でも、第１通信部２１とそれぞれの第２通信部２２，２３，２４とを結ぶ線分となる通信経路には、例えば他の第２の基板などの障害物が存在せず、支障なく通信が行われる。図２に示した順序、あるいはこれとは異なる順序で第２の基板１２，１３，１４が重ねられても、他の第２の基板の凸部が存在しない空間を用いて第１通信部２１と第２通信部２２，２３，２４との通信が行われ、直進性のよい電波や光を用いた通信に支障は生じない。
【００３４】
図３は、本発明の第２の実施の形態を示す構成図である。この例でも第２の基板を４枚設ける例を示しているが、第２の基板は２枚以上であればよい。もちろん、第２の基板が１枚でも動作するものである。第１の実施の形態と異なる点について主に説明する。
【００３５】
第１の基板１１には第１通信部２１が設けられているが、この第１通信部２１は、第２の基板１２，１３，１４，１５とは重ならない位置に配置されている。また、この第２の実施の形態における第２の基板１２，１３，１４，１５は、第１の実施の形態で設けた凸部は不要であり、図３（Ａ）に示すように第２通信部２２，２３，２４，２５が第２の基板１２，１３，１４，１５の端部に設けられている。
【００３６】
第１の基板１１及び第２の基板１２，１３，１４，１５を重ねて実装する際には、図３（Ｂ）に示すように、第１の基板１１は第１通信部２１が設けられた側が第２の基板１２，１３，１４，１５と対向する側となるようにする。第２の基板１２，１３，１４，１５は、第２通信部２２，２３，２４，２５が設けられた側が第１の基板１１と対向する側となるとよく、この場合を図示している。しかし、反対側であっても第２の基板が障害物とならなければよい。
【００３７】
また、第２の基板１２，１３，１４，１５の第２通信部２２，２３，２４，２５が設けられた辺が、いずれも第１の基板１１の第１通信部２１が設けられた側となるようにする。さらに、第１通信部２１は第２の基板１２，１３，１４，１５と重ならない位置に配置される。これにより、図３（Ｂ）に示したように第２の基板１２，１３，１４，１５が存在しない第１の基板１１上の空間を利用して通信が行われる。通信路となる第１通信部２１と第２通信部２２，２３，２４，２５とを結ぶ線分には例えば他の第２の基板などの障害物が存在せず、支障なく通信が行われることになる。
【００３８】
なお、第２の基板１２，１３，１４，１５に設けられる第２通信部２２，２３，２４，２５は、第１通信部２１が設けられている側の端部であれば位置は限定されない。従って、いずれの第２の基板においても統一した位置に第２通信部を設けてもよいし、第１通信部２１が設けられている側の端部であればそれぞれ異なる位置に第２通信部を設けてもよい。
【００３９】
図４は、本発明の第３の実施の形態を示す構成図である。この例でも第２の基板を４枚設ける例を示しているが、第２の基板は２枚以上であればよい。もちろん、第２の基板が１枚でも動作するものである。第１の実施の形態と異なる点について主に説明する。
【００４０】
第１の基板１１には第１通信部２１が設けられているが、この第３の実施の形態では、第１通信部２１は、後述するようにずらして重ねられた第２の基板１２，１３，１４，１５の１枚以上が重ならない領域あるいはその領域から予め決められた範囲に配置されている。また、この第３の実施の形態における第２の基板１２，１３，１４，１５は、第２の実施の形態で説明したように第２通信部２２，２３，２４，２５が第２の基板１２，１３，１４，１５の端部に設けられている。図４（Ａ）に示した例では、第２の基板１２，１３，１４，１５の角部に設けた例を示している。
【００４１】
第１の基板１１及び第２の基板１２，１３，１４，１５を重ねて実装する際には、図４（Ｂ）に示すように、第１の基板１１は第１通信部２１が設けられた側が第２の基板１２，１３，１４，１５と対向する側となるようにする。第２の基板１２，１３，１４，１５は、第２通信部２２，２３，２４，２５が設けられた側が第１の基板１１と対向する側となるようにし、第２通信部２２，２３，２４，２５が他の第２の基板により隠れないようにずらして重ねる。これにより、図４（Ｂ）に示したように第２の基板１２，１３，１４，１５をずらして生じた第１の基板１１上の空間を利用して通信が行われる。通信路となる第１通信部２１と第２通信部２２，２３，２４，２５とを結ぶ線分には例えば他の第２の基板などの障害物が存在せず、支障なく通信が行われることになる。
【００４２】
なお、第２の基板１２，１３，１４，１５に設けられる第２通信部２２，２３，２４，２５は、ずらして生じた空間に面する領域であれば位置は限定されない。従って、図４（Ａ）に示すようにいずれの第２の基板においても統一した位置に第２通信部を設けておくほか、ずらして生じた空間に面していればそれぞれ異なる位置に第２通信部を設けてもよい。
【００４３】
また、第２の基板１２，１３，１４，１５は１方向にずらすほか、図４（Ｃ）に示すように２方向にずらしてもよい。この場合、第２の基板の２辺において、ずらしたことにより第１の基板１１と相対する領域が生じることから、この２辺の端部の領域に第２通信部を配置すればよい。この場合も、配置位置を統一してもよいし、それぞれ異なっていてもよい。
【００４４】
図５は、本発明の第４の実施の形態を示す構成図である。図中、３１は開口である。この例では第２の基板を３枚設ける例を示しているが、第２の基板は２枚以上であればよい。もちろん、第２の基板が１枚でも動作するものである。第１の実施の形態と異なる点について主に説明する。
【００４５】
第１の基板１１には第１通信部２１が設けられている。また、この第４の実施の形態における第２の基板１２，１３，１４には、それぞれ異なる位置に第２通信部２２，２３，２４が配置されるとともに、他の第２の基板に第２通信部が配置される位置には開口３１が設けられている。
【００４６】
第１の基板１１及び第２の基板１２，１３，１４を重ねて実装する際には、図５（Ｂ）に示すように、第１の基板１１は第１通信部２１が設けられた側が第２の基板１２，１３，１４と対向する側となるようにする。第２の基板１２，１３，１４は、第２通信部２２，２３，２４が設けられた側が第１の基板１１と対向する側となるようにし、第２通信部２２，２３，２４の位置が他の第２の基板の開口３１に合うように位置合わせして重ねる。
【００４７】
このような構成により、図５（Ｂ）に断面を示したように、第２の基板１２，１３，１４に設けられた第２通信部２２，２３，２４と第１の基板１１の第１通信部２１とを結ぶ線分上には、開口３１により他の第２の基板などの障害物が存在しなくなり、開口３１を通して支障なく通信が行われることになる。
【００４８】
例えば第２の基板１４に設けられた第２通信部２４は、第２の基板１３に設けられた開口３１及び第２の基板１２に設けられた開口３１を通過し、第１の基板１１の第１通信部２１との通信が行われる。また、例えば第２の基板１３に設けられた第２通信部２３は、第２の基板１３に設けられた開口３１を通過し、第１の基板１１の第１通信部２１との通信が行われる。もちろん、第２の基板１２に設けられた第２通信部２２は、第１の基板１１の第１通信部２１と通信が行われることになる。
【００４９】
なお、図５に示した例においてはそれぞれの第２の基板１２，１３，１４には他の第２の基板に設けられる第２通信部に対応した位置に開口３１を設けている。しかし、例えば第２の基板１３には第２の基板１２に設けられる第２通信部２２に対応した開口３１は不要であり、設けなくてもよい。また、例えば第２の基板１４には第２の基板１２に設けられる第２通信部２２及び第２の基板１３に設けられる第２通信部２３に対応した開口３１は不要であり、設けなくてもよい。設けない場合には、それぞれの第２の基板を重ねる順序が制限される。図５に示した例のように他の第２の基板に設けられる第２通信部に対応する開口３１を設けた場合には、第２の基板を重ねる順序について制限されなくなる。
【００５０】
図６は、本発明の第５の実施の形態を示す構成図である。上述の各実施の形態では、第２の基板を重ねて実装する場合を示しているが、この第５の実施の形態では、第２の基板を並べて配置する場合を示す。第２の基板を並べて配置した場合、実装の際の厚みが、重ねて実装する場合に比べて少なくなる。なお、この例でも第２の基板を４枚設ける例を示しているが、第２の基板は２枚以上であればよい。もちろん、第２の基板が１枚でも動作するものである。第１の実施の形態と異なる点について主に説明する。
【００５１】
第１の基板１１には第１通信部２１が設けられており、この第１通信部２１と対向する予め決められた範囲に、第２の基板１２，１３，１４，１５に設けられている第２通信部２２，２３，２４，２５が配置される位置に第１通信部２１が設けられる。また、第２の基板１２，１３，１４，１５は、第１の実施の形態及びその変形例で説明したように凸部が設けられて、その凸部に第２通信部２２，２３，２４，２５が配置されている。
【００５２】
図６（Ａ）に示す例では、第２の基板１２，１３，１４，１５に矩形状の凸部を設けた例を示し、図６（Ｂ）に示す例では三角形状の凸部を設けた例を示している。いずれの場合も、図６（Ｃ）に示すように、第１の基板１１は第１通信部２１が設けられた側が第２の基板１２，１３，１４，１５と対向する側となるようにし、第２の基板１２，１３，１４，１５は、第２通信部２２，２３，２４，２５が設けられた側が第１の基板１１と対向する側となるようにする。そして、第２の基板１２，１３，１４，１５の凸部を集中させて配置し、第２の基板１２，１３，１４，１５に設けられている第２通信部２２，２３，２４，２５と第１の基板１１の第１通信部２１との距離を他の配置に比べて短縮している。
【００５３】
このように第２の基板１２，１３，１４，１５を並べて配置すれば、第１の基板１１の第１通信部２１とそれぞれの第２通信部２２，２３，２４，２５とを結ぶ線分上に障害物は存在せず、支障なく通信が行われることになる。
【００５４】
図７は、本発明の第５の実施の形態の変形例を示す構成図である。図６に示した例では、第１の実施の形態で説明した、凸部を設けた第２の基板を用いた例を示したが、この変形例では、例えば第２の実施の形態あるいは第３の実施の形態で説明した、第２通信部を第２の基板の端部に配置した場合を示している。
【００５５】
この変形例の場合には、第２の基板１２，１３，１４，１５を、第２通信部２２，２３，２４，２５が第１の基板１１の第１通信部２１に向く方向となるように並べて配置する。例えば図７（Ａ）に示すように、第２通信部２２，２３，２４，２５が配置された第２の基板１２，１３，１４，１５の端部が第１通信部２１を囲むように、第２の基板１２，１３，１４，１５を並べて配置するとよい。これにより、第１の基板１１の第１通信部２１とそれぞれの第２通信部２２，２３，２４，２５とを結ぶ線分上に障害物は存在せず、支障なく通信が行われることになる。
【００５６】
図７（Ｂ）に示した例では、図４（Ａ）に示した、第２の基板１２，１３，１４，１５の角部に第２通信部２２，２３，２４，２５を設けた例を示している。この場合、第２通信部２２，２３，２４，２５を設けた角部を集めて配置するとよい。この例では、平面的な空間が図７（Ａ）に示した例に比べて効率よく利用される。
【００５７】
なお、この図７に示した第５の実施の形態の変形例でも、第２の基板は４枚に限られず、２枚以上であればよく、１枚であっても支障なく動作するものである。
【００５８】
上述の第５の実施の形態及びその変形例では、第２通信部２２，２３，２４，２５が第１通信部２１から予め決められた範囲に配置されるように、第２通信部２２，２３，２４，２５の第２の基板１２，１３，１４，１５における位置及び第２の基板１２，１３，１４，１５の形状及び配置を工夫している。これにより、第１通信部２１が通信を行う際の指向性を考慮した通信品質の確保を行っている。もちろん、無指向性の通信を行う場合には、通信強度が許容される範囲内であれば、第２通信部２２，２３，２４，２５が配置される位置は第２の基板１２，１３，１４，１５の凸部や端部に限定されず、いずれの位置に配置されていても第１通信部２１との線分上に障害物は存在せず、支障なく通信が行われる。
【００５９】
図８は、本発明の第６の実施の形態を示す構成図である。上述の各実施の形態では、第１の基板と第２の基板を重ねて実装する場合を示しているが、この第６の実施の形態では、第１の基板と第２の基板の配置方向を異ならせた例を示している。なお、この例でも第２の基板を４枚設ける例を示しているが、第２の基板は２枚以上であればよい。もちろん、第２の基板が１枚でも動作するものである。第１及び第２の実施の形態と異なる点について主に説明する。
【００６０】
第１の基板１１には第１通信部２１が設けられており、第２の基板１２，１３，１４，１５の端部に第２通信部２２，２３，２４，２５が配置されている。図８に示す例では、第２通信部２２，２３，２４，２５が設けられた第２の基板１２，１３，１４，１５の端部が揃うように第２の基板１２，１３，１４，１５を重ねて配置している。また、第１の基板１１は、第２の基板１２，１３，１４，１５とは異なる方向に向けるとともに、第１通信部２１が第２通信部２２，２３，２４，２５が設けられている第２の基板１２，１３，１４，１５に向くように配置されている。このような構成により、第２の基板１２，１３，１４，１５に設けられた第２通信部２２，２３，２４，２５と第１の基板１１の第１通信部２１とを結ぶ線分上には障害物が存在しなくなり、支障なく通信が行われることになる。
【００６１】
図９は、本発明の第６の実施の形態の変形例を示す構成図である。図中、１６は第３の基板、２６は中継通信部、２７は第３通信部である。この第６の実施の形態の変形例では、第１の基板１１を中継基板として用い、第２の基板１２，１３，１４，１５と第３の基板１６との通信を中継する構成を示している。第１の基板１１と第２の基板１２，１３，１４，１５とは図８に示したものであり、第１の基板１１にはさらに中継通信部２６が設けられている。また、第３の基板１６には第３通信部２７が設けられており、第１の基板１１の中継通信部２６と通信を行う。この通信も電波や光による無線で行うとよく、ミリ波以上の周波数で行うとよい。
【００６２】
この図９に示した第６の実施の形態の変形例の構成では、第２の基板１３，１４，１５と第３の基板１６との通信は、第２の基板１２が障害物となり、直進性のよい波長による無線通信に支障を生じる。第１の基板１１によって通信を中継すれば、第２の基板１２，１３，１４，１５と第１の基板１１，及び、第１の基板１１と第３の基板１６との通信は障害物による影響はなく、よって、第２の基板１２，１３，１４，１５と第３の基板１６との通信が支障なく行われることになる。
【００６３】
図１０は、本発明の第７の実施の形態を示す構成図である。図中、４１は反射板である。この例では、第１の基板１１に設けられた第１通信部２１と、第２の基板１２，１３，１４，１５に設けられた第２通信部２２，２３，２４，２５をそれぞれ結ぶ線分上には他の第２の基板が障害物となっている。このような場合に、反射板４１を用いて障害物が存在しない通信経路を確保する例を示している。なお、この例でも第２の基板を４枚設ける例を示しているが、第２の基板は２枚以上であればよい。もちろん、第２の基板が１枚でも動作するものである。第１及び第２の実施の形態と異なる点について主に説明する。
【００６４】
第１の基板１１には第１通信部２１が設けられているが、この第１通信部２１は、第１の基板１１の端部に設けられている。また、第２の基板１２，１３，１４，１５には第２通信部２２，２３，２４，２５が設けられているが、例えば第２の実施の形態で説明したように第２の基板１２，１３，１４，１５の端部に設けられている。
【００６５】
第１の基板１１及び第２の基板１２，１３，１４，１５を重ねて実装する際には、図１０に示すように、第１の基板１１の第１通信部２１が設けられた端部と、第２の基板１２，１３，１４，１５の第２通信部２２，２３，２４，２５が設けられた端部とが、反射板４１と対向する側となるようにする。これにより、図１０に矢線で示したように、第２の基板１２，１３，１４，１５に設けられた第２通信部２２，２３，２４，２５のそれぞれから放出された電波あるいは光は、反射板４１で反射されて第１の基板１１の第１通信部２１へ向かう。逆に、第１の基板１１の第１通信部２１から放出された電波あるいは光は、反射板４１で反射されて第２の基板１２，１３，１４，１５に設けられた第２通信部２２，２３，２４，２５へ向かう。この反射板４１で反射される第１通信部２１と第２通信部２２，２３，２４，２５との通信経路には障害物は存在せず、支障なく通信が行われることになる。
【００６６】
以上、いくつかの本発明の実施の形態について説明したが、本発明はこれらの実施の形態に限られることはなく、第１の基板に設けられた第１通信部と、複数の第２の基板に設けられた第２通信部との通信経路上に障害物が存在しないという発明の趣旨の範囲内で、種々の変形を行ってもよいことは言うまでもない。
【符号の説明】
【００６７】
１１…第１の基板、１２，１３，１４，１５…第２の基板、１６…第３の基板、２１…第１通信部、２２，２３，２４，２５…第２通信部、２６…中継通信部、２７…第３通信部、３１…開口、４１…反射板、５１…第１の基板、５２，５３…第２の基板、６１…コネクタ、６２…ライザーカード。
【図１】
2014120667.tif 000003
【図２】
2014120667.tif 000004
【図３】
2014120667.tif 000005
【図４】
2014120667.tif 000006
【図５】
2014120667.tif 000007
【図６】
2014120667.tif 000008
【図７】
2014120667.tif 000009
【図８】
2014120667.tif 000010
【図９】
2014120667.tif 000011
【図１０】
2014120667.tif 000012
【図１１】
2014120667.tif 000013